(57)【要約】【課題】移動通信用無線信号の送信による妨害を低減しつつ、第２の無線信号の受信感度を高く維持する。【解決手段】放送受信ユニット６内においてアンテナ５とチューナ部６１との間に、フィルタ回路６３を配置する。このフィルタ回路６３は、フィルタ６３１と、迂回回路６３４と、これらのフィルタ６３１及び迂回回路６３４を切り替える切替スイッチ６３２，６３３とから構成される。そして、切替スイッチ６３２，６３３の切替動作により、移動通信用無線信号の送信期間には上記フィルタ６３１が上記放送受信アンテナ５とチューナ部６１との間に接続され、一方移動通信用無線信号の非送信期間には上記迂回回路６３４が上記放送受信アンテナ５とチューナ部６１との間に接続される。【選択図】図２
2006261998.tif 000002
【特許請求の範囲】
【請求項１】
移動通信のための第１の無線信号を送信する第１の無線回路と、
前記第１の無線信号とは周波数帯域の異なる第２の無線信号を受信する第２の無線回路と、
前記第２の無線回路の入力側に配置され、前記第１の無線回路から第１の無線信号が送信される期間にのみ前記第２の無線信号に含まれる前記第１の無線信号の周波数帯域を抑圧する帯域抑圧手段と
を具備することを特徴とする移動通信端末。
【請求項２】
移動通信のための第１の無線信号を送信する第１の無線回路と、
前記第１の無線信号とは周波数帯域の異なる第２の無線信号を受信する第２の無線回路と、
前記第１の無線回路から送信される第１の無線信号の送信電力レベルを検出する手段と、
前記第２の無線回路の入力側に配置され、前記検出された第１の無線信号の送信電力レベルが予め設定されたしきい値を超えた期間にのみ前記第２の無線信号に含まれる前記第１の無線信号の周波数帯域を抑圧する帯域抑圧手段と
を具備することを特徴とする移動通信端末。
【請求項３】
前記帯域抑圧手段は、
前記第２の無線信号を、前記第１の無線信号の周波数帯域を抑圧する周波数通過特性を有するフィルタ回路を介して前記第２の無線回路に入力する第１の経路と、
前記第２の無線信号を、前記フィルタ回路を迂回して前記第２の無線回路に入力する第２の経路と、
前記第１の経路と第２の経路とを切り替える切替回路と
を備えることを特徴とする請求項１又は２記載の移動通信端末。
【請求項４】
前記帯域抑圧手段は、
前記検出された第１の無線信号の送信電力レベルが予め設定された第１のしきい値を超えたとき、それ以後前記第２の無線信号を前記帯域抑圧手段を介して前記第２の無線回路に入力する手段と、
前記第２の無線信号が前記帯域抑圧手段を介して前記第２の無線回路に入力されている状態で、前記検出された第１の無線信号の送信電力レベルが前記第１のしきい値より小さく設定された第２のしきい値より低下したとき、それ以後前記第２の無線信号を前記帯域抑圧手段を迂回して前記第２の無線回路に入力する手段と
を備えることを特徴とする請求項２記載の移動通信端末。
【請求項５】
前記第２の無線信号が有効シンボル期間とガードインターバルとを備える場合に、
前記切替回路は、前記ガードインターバルの期間内で前記第１の経路と第２の経路とを切り替えることを特徴とする請求項３記載の移動通信端末。
【発明の詳細な説明】
【技術分野】
【０００１】
この発明は、例えば地上波ディジタル放送受信機を備えた移動通信端末に関する。
【背景技術】
【０００２】
近年、携帯電話機やＰＤＡ（Personal Digital Assistants）等の移動通信端末においては、例えばラジオ放送や地上波テレビジョン放送、移動体向けのディジタル衛星放送を受信するための放送受信機を備えた端末や、周辺機器との間で無線データ通信を行うための近距離無線通信規格の無線通信機を備えた端末が多くなっている（例えば、特許文献１を参照。）。
【０００３】
このような放送受信機又は無線通信機を備えることで、利用者は１台の移動通信端末を所持するだけで、本来の移動通信に加え、テレビジョン放送を視聴したり、パーソナル・コンピュータや各種サービス端末等の周辺機器との間でデータ通信を行うことが可能となり、大変便利である。
【特許文献１】特開２００３−２７３９７８公報
【発明の開示】
【発明が解決しようとする課題】
【０００４】
ところが、この種の端末では、放送受信期間中又は周辺機器との間で無線通信を行っている期間に、例えば位置登録やハンドオーバのために移動通信用の送受信機から無線信号が送信されると、この移動通信用の無線信号が妨害波となって上記放送受信機又は無線通信機における放送信号又は無線データ通信信号の受信感度を劣化させる場合がある。
【０００５】
そこで、上記放送受信機又は無線通信機の前段にフィルタを配置し、このフィルタにより、放送信号又は無線データ通信信号を通過させつつ、上記移動通信用の無線信号に対応する妨害信号を抑圧することが提案されている。しかし、フィルタは通常２〜３ｄＢ程度の挿入損失を有しているため、このフィルタの挿入により放送信号又は無線データ通信信号の受信感度が劣化し、この結果放送サービスの受信可能エリア又は周辺機器との間の通信可能エリアが狭くなるという問題を生じる。
【０００６】
この発明は上記事情に着目してなされたもので、その目的とするところは、移動通信用の第１の無線信号による妨害を低減しつつ、第２の無線信号の受信感度を高く維持することを可能にした移動通信端末を提供することにある。
【課題を解決するための手段】
【０００７】
上記目的を達成するために第１の発明は、移動通信のための第１の無線信号を送信する第１の無線回路と、この第１の無線信号とは周波数帯域の異なる第２の無線信号を受信する第２の無線回路とを備える移動通信端末にあって、上記第２の無線回路の入力側に帯域抑圧手段を配置し、この帯域抑圧手段により、上記第１の無線回路から第１の無線信号が送信される期間にのみ、上記第２の無線信号に含まれる上記第１の無線信号の周波数帯域を抑圧するように構成したものである。
【０００８】
したがって第１の発明によれば、第１の無線回路から第１の無線信号が送信される期間にのみ、帯域抑圧手段により第２の無線信号に含まれる第１の無線信号が抑圧される。このため、第２の無線信号に対する移動通信用の無線信号による妨害は低減される。一方、第１の無線信号が送信されていない期間には、帯域抑圧手段による帯域抑圧処理は行われないため、第２の無線信号の受信感度が劣化する期間は大幅に短縮される。すなわち、移動通信用無線信号による妨害を低減しつつ、第２の無線信号の受信感度を高く維持することが可能となる。
【０００９】
一方、上記目的を達成するために第２の発明は、移動通信のための第１の無線信号を送信する第１の無線回路と、この第１の無線信号とは周波数帯域の異なる第２の無線信号を受信する第２の無線回路とを備える移動通信端末にあって、上記第１の無線回路から送信される第１の無線信号の送信電力レベルを検出する手段を設けると共に、上記第２の無線回路の入力側に帯域抑圧手段を配置する。そして、上記検出された第１の無線信号の送信電力レベルが予め設定されたしきい値を超えた期間にのみ、上記帯域抑圧手段により、上記第２の無線信号に含まれる上記第１の無線信号の周波数帯域を抑圧するように構成したものである。
【００１０】
したがって第２の発明によれば、送信電力レベルがしきい値を超える第１の無線信号、つまり妨害許容レベルを超える第１の無線信号が送信されたときには、第２の無線信号に含まれる第１の無線信号の周波数帯域が抑圧されるため、第２の無線信号に対する第１の無線信号による妨害は低減される。これに対し、第１の無線信号の送信電力レベルがしきい値を超えないとき、つまり妨害許容レベルを超えないときには、第２の無線信号に対する帯域抑圧処理は行われない。
【００１１】
すなわち、第１の無線信号が送信されていない期間は勿論のこと、第１の無線信号が送信されている期間でもその送信電力レベルが第２の無線信号の受信に妨害を与えないレベルのときには帯域抑圧処理が行われない。このため、第２の無線信号の受信感度が劣化する期間はさらに短縮され、これにより移動通信用無線信号による妨害を低減しつつ、第２の無線信号の受信感度をより一層高く維持することが可能となる。
【００１２】
また、上記第１及び第２の発明は、帯域抑圧手段を、第１の無線信号の周波数帯域を抑圧する周波数通過特性を有するフィルタ回路と、このフィルタ回路を迂回する迂回回路と、切替回路とから構成する。そして、切替回路により上記フィルタ回路と迂回回路とを切り替えることにより、フィルタ回路と迂回回路を択一的にアンテナと第２の無線回路との間に挿入するように構成することを特徴とする。このように構成すると、フィルタ回路と迂回回路との切り替えだけの簡単な回路構成とその切替制御のみで実現することができる。
【００１３】
またその際、例えば地上波ディジタル放送信号のように、第２の無線信号が有効シンボル期間とガードインターバルとを備える場合には、上記切替回路による切替処理を上記ガードインターバルの期間内で行うようにするとよい。このように構成すると、上記切替処理により第２の無線信号が同期外れ等を引き起こす不具合を防止できる。
【００１４】
さらに上記第２の発明は、帯域抑圧手段において、検出された第１の無線信号の送信電力レベルが予め設定された第１のしきい値を超えたとき、それ以後第２の無線信号を帯域抑圧手段を介して第２の無線回路に入力し、この状態で検出された第１の無線信号の送信電力レベルが上記第１のしきい値より小さく設定された第２のしきい値より低下したときには、それ以後第２の無線信号を上記帯域抑圧手段を迂回して第２の無線回路に入力することを特徴とする。  
このように構成すると、第２の無線信号を帯域抑圧手段に通すか或いは迂回させるかの切替処理にヒステリシス特性を持たせることができ、これにより切替制御信号にリップル成分が残留している場合や、第１の無線信号の送信電力レベルがしきい値付近で変動している場合に、帯域抑圧手段において切替処理が頻繁に行われないようにして、安定性の高い切替処理を実現できる。
【発明の効果】
【００１５】
要するにこの発明では、移動通信用の第１の無線信号が送信される期間にのみ、或いは第１の無線信号の送信電力レベルがしきい値を超えた期間にのみ、帯域抑圧手段により第２の無線信号に含まれる上記第１の無線信号の周波数帯域を抑圧するようにしている。したがって、移動通信用の第１の無線信号による妨害を低減しつつ、第２の無線信号の受信感度を高く維持することを可能にした移動通信端末を提供することができる。
【発明を実施するための最良の形態】
【００１６】
以下、図面を参照してこの発明に係わる移動通信端末の実施形態を説明する。
【００１７】
（第１の実施形態）  
図１は、この発明に係わる移動通信端末の第１の実施形態を示すブロック図である。  
図示しない移動通信用の基地局から送信された無線信号は、移動通信アンテナ１で受信されたのち移動通信用無線ユニット２に入力される。そして、この移動通信用無線ユニット２において、低雑音増幅、中間周波数又はベースバンド周波数への周波数変換及び復調処理がそれぞれ行われ、これにより受信ベースバンド信号が再生されて移動通信用信号処理ユニット３に入力される。移動通信用信号処理ユニット３では、上記入力された受信ベースバンド信号に対し復号処理が行われ、この復号処理により再生された受信データは入出力インタフェースユニット４を介してユーザに提示される。例えば、受信データが音声データであればスピーカ１１から受話音声が拡声出力され、また画像データであればディスプレイ１４に画像が表示される。また、受信データがメールのデータやウエブサイト等からダウンロードされたデータの場合には、制御ユニット８から記憶ユニット９に記憶される。
【００１８】
これに対しマイクロホン１２に入力されたユーザの送話音声データや、カメラ１３により撮像された画像データは、入出力インタフェースユニット４に取り込まれたのち移動通信用信号処理ユニット３に入力される。また、入力デバイス１７の操作により作成されたメール等のデータは、制御ユニット８から移動通信用信号処理ユニット３に入力される。移動通信用信号処理ユニット３では、上記入力された各送信データに対し符号化処理が行われ、これにより送信ベースバンド信号が生成されて移動通信用無線ユニット２に入力される。移動通信用無線ユニット２では、上記入力された送信ベースバンド信号に対し、変調、無線周波数への周波数変換及び電力増幅がそれぞれ行われる。そして、この移動通信用無線ユニット２において生成された無線信号は、移動通信アンテナ１から基地局へ向け送信される。
【００１９】
一方、放送送信設備から送信された地上波ディジタル放送信号は、放送受信アンテナ５で受信されたのち放送受信ユニット６に入力され、ここで受信チャネルが選局されさらに復調処理されたのち放送信号処理ユニット７に入力される。放送信号処理ユニット７では、上記入力された復調信号に対し復号処理が行われ、これによりテレビジョン画像データ、音声データ及び文字データが再生される。このうちテレビジョン画像データ及び文字データは入出力インタフェースユニット４を介してディスプレイ１４に表示され、また音声データは入出力インタフェースユニット４を介してスピーカ１１から出力される。
【００２０】
制御ユニット８は例えばマイクロコンピュータからなり、ユーザが入力デバイス１７において指定入力した動作モードに応じて、上記移動通信系の各ユニット及び放送受信系の各ユニットの動作をそれぞれ制御する。記憶ユニット９は、記憶媒体として例えばＥＥＰＲＯＭ又はハードディスクを使用し、上記制御ユニット８に実行させるためのアプリケーション・プログラム、メール等の送受信データ及び電話帳等の制御データを格納する。  
なお、１５は電源回路であり、この電源回路１５はバッテリ１６の出力電圧をもとに動作電圧Ｖccを生成し、この生成された動作電圧Ｖccを上記各ユニットに供給する。
【００２１】
ところで、上記放送受信ユニット６及び移動通信用無線ユニット２は次のように構成される。図２はその構成を示す回路ブロック図である。すなわち、放送受信ユニット６は、受信された地上波ディジタル放送信号に対しチャネル選択処理を行うチューナ部６１と、このチューナ部６１により選択されたチャネルの放送信号を復調するＯＦＤＭ（Orthogonal Frequency Division Multiplex）復調部６２とを備え、さらにこのＯＦＤＭ復調部６２の入力側にフィルタ回路部６３を配置している。
【００２２】
フィルタ回路部６３は、フィルタ６３１と、このフィルタ６３１の両端にそれぞれ配置された一対の切替スイッチ６３２，６３３と、上記フィルタ６３１を迂回する迂回回路６３４とから構成される。フィルタ６３１は、地上波ディジタル放送帯域を通過させ、かつ移動通信送信帯域を抑圧する帯域通過特性を有する。図７にその帯域通過特性の一例を示す。
【００２３】
一方、移動通信用無線ユニット２は、変調部２１と、周波数変換部２２と、送信電力増幅器（ＰＡ：Power Amplifier）２３と、アンテナ共用器（Duplexer ;以後ＤＵＰと呼称）２４とを備える。上記送信電力増幅器２３には、電源回路１５から出力される動作電圧Ｖccが給電制御スイッチ２５を介して供給される。給電制御スイッチ２５は、制御ユニット８から出力される送信制御信号ＳＷ１に従い、移動通信用無線信号の送信期間にオンとなり、その他の期間にオフとなる。
【００２４】
また、上記送信制御信号ＳＷ１はフィルタイネーブル信号ＥＳとして上記切替スイッチ６３２，６３３に供給される。切替スイッチ６３２，６３３は、上記イネーブル信号ＥＳに従い切替動作するもので、上記移動通信用の無線信号の送信期間にフィルタ６３１側に切り替わって当該フィルタ６３１を放送受信アンテナ５とチューナ部６１との間に接続する。一方、その他の期間には迂回回路６３４側に切り替わって当該迂回回路６３４を放送受信アンテナ５とチューナ部６１との間に接続する。
【００２５】
このような構成であるから、地上波ディジタル放送信号の受信中に、例えば移動通信端末の存在位置を基地局に登録するための位置登録手順が実行されるか、又は同期確立先の基地局を切り替えるハンドオーバ手順が実行されたとする。これらの手順が実行されると、移動通信端末から移動通信基地局へ無線信号が送信され、この移動通信用の無線信号が放送信号と共に放送受信アンテナ５で受信される。
【００２６】
しかしながら、上記移動通信用の無線信号の送信期間においては、制御ユニット８から出力される“Ｈ”レベルの送信制御信号ＳＷ１がフィルタイネーブル信号ＥＳとして上記切替スイッチ６３２，６３３に供給され、この結果切替スイッチ６３２，６３３がフィルタ６３１側に切り替わる。したがって、放送受信アンテナ５とチューナ部６１との間にはフィルタ６３１が挿入される。このため、放送信号と共に上記放送受信アンテナ５で受信された移動通信用の無線信号は、上記フィルタ６３１により妨害波として許容される信号レベルにまで抑圧される。このため、チューナ部６１においては上記移動通信用無線信号による妨害の影響を受けることなく放送信号の正確なチャネル選局が可能となる。
【００２７】
一方、上記移動通信用の無線信号の送信期間が終了すると、送信制御信号ＳＷ１が“Ｌ”レベルに変化し、これにより給電制御スイッチ２５が開状態となって送信電力増幅器２３への給電が断たれる。またそれと共に、上記送信制御信号ＳＷ１がフィルタイネーブル信号ＥＳとして上記切替スイッチ６３２，６３３に供給され、この結果切替スイッチ６３２，６３３が迂回回路６３４側に切り替わる。このため、放送受信アンテナ５とチューナ部６１との間は迂回回路６３４により直結される。したがって、移動通信用の無線信号の非送信期間において、放送受信アンテナ５で受信された地上波ディジタル放送信号は、フィルタ６３１の挿入損失の影響を受けることなくチューナ部６１に入力される。このため、チューナ部６１では、地上波ディジタル放送信号に対する受信感度を高く維持することができる。
【００２８】
以上述べたように第１の実施形態では、放送受信ユニット６内においてアンテナ５とチューナ部６１との間に、フィルタ回路６３を配置している。このフィルタ回路６３は、フィルタ６３１と、迂回回路６３４と、これらのフィルタ６３１及び迂回回路６３４を切り替える切替スイッチ６３２，６３３とから構成され、移動通信用無線信号の送信期間に上記フィルタ６３１が上記放送受信アンテナ５とチューナ部６１との間に接続され、一方移動通信用無線信号の非送信期間には上記迂回回路６３４が上記放送受信アンテナ５とチューナ部６１との間に接続される。
【００２９】
したがって、移動通信用の無線信号の送信期間において、放送受信アンテナ５で受信された移動通信用の無線信号は、妨害波として許容される信号レベルにまで上記フィルタ６３１により抑圧されたのちチューナ部６１に入力されることになり、この結果チューナ部６１では移動通信用の無線信号による妨害の影響を受けることなく正確なチャネル選択が可能となる。これに対し移動通信用の無線信号の非送信期間においては、フィルタ６３１が迂回回路６３４によりバイパスされ、これにより地上波ディジタル放送信号はフィルタ６３１の挿入損失の影響を受けることなくチューナ部６１に入力される。このため、チューナ部６１では、地上波ディジタル放送信号に対する受信感度を高く維持することができる。
【００３０】
また上記第１の実施形態では、上記切替スイッチ６３２，６３３を、制御ユニット８から送信電力増幅器２３の給電制御用として発生される既存の送信制御信号ＳＷ１をそのまま利用して切替制御している。このため、新たに切替制御信号を生成する必要がなく、またそのための信号生成回路も不要にできるので、簡単な回路構成により実現できる利点がある。
【００３１】
（第２の実施形態）  
この発明の第２の実施形態は、送信電力増幅器の送信電力レベルを検出し判定する機能と、この機能の判定結果に応じて動作するフィルタ回路とを備える。そして、上記送信電力レベルが参照レベルを超えている期間に、上記フィルタを放送受信アンテナとチューナ部との間に接続し、一方送信電力レベルが参照レベルを超えていない期間には迂回回路を放送受信アンテナとチューナ部との間に接続するようにしたものである。
【００３２】
図３は、この発明の第２の実施形態に係わる移動通信端末の要部であるフィルタ制御回路部の構成を示すブロック図である。なお、同図において前記図２と同一部分には同一符号を付して詳しい説明は省略する。  
送信電力増幅器２３の出力側には方向性結合器３１が介挿される。この方向性結合器３１は、送信電力増幅器２３から出力された移動通信用無線信号の一部を分岐して送信電力検出回路３２に入力する。送信電力検出回路３２は、上記入力された移動通信用無線信号を整流しかつ平滑化することにより、上記無線信号の送信電力レベルに比例した直流電圧信号を出力する。この直流電圧信号は比較器３３に入力される。比較器３３は、上記入力された直流電圧信号を参照電圧信号ＲＥＦと比較する。そして、その比較出力をフィルタイネーブル信号ＥＳとして図２に示したフィルタ回路６３の切替スイッチ６３２，６３３に供給する。
【００３３】
ここで、上記参照電圧信号ＲＥＦの値は例えば次のように設定される。すなわち、チューナ部６１において許容される妨害信号レベルの上限値に対し、移動通信アンテナ１と放送受信アンテナ８との間のアイソレーション分だけ大きい移動通信用無線信号の送信レベルであれば、フィルタ６３１を挿入する必要はない。例えば、チューナ部６１において許容される妨害信号レベルの上限値を−１０ｄＢｍとし、移動通信アンテナ１と放送受信アンテナ８との間のアイソレーションを１５ｄＢとすると、このときの移動通信用無線信号の送信レベルは−５ｄＢｍである。そこで、移動通信用無線信号の送信レベルが５ｄＢｍであるときに電力検出回路３２から出力される直流電圧信号の値を、参照電圧信号の値に設定しておけばよい。
【００３４】
また、参照電圧信号値を一つの値に固定すると、送信電力検出回路３２から出力される直流電圧信号にリップル成分が残留している場合に、フィルタ６３１と迂回回路６３４とが頻繁に切り替わり、チューナ部６１に入力される放送受信信号が不安定となる。そこで、第２の実施形態では上記比較器３３の入出力特性にヒステリシス特性を持たせている。図４にこのヒステリシス特性の一例を示す。
【００３５】
このような構成であるから、移動通信用無線回路２から無線信号が送信され、かつその送信電力レベルを整流・平滑化した直流電圧信号の値が参照電圧信号ＲＥＦの値を超えると、比較器３３から“Ｈ”レベルのフィルタイネーブル信号ＥＳが切替スイッチ６３２，６３３に供給される。このため、切替スイッチ６３２，６３３がフィルタ６３１側に切り替わり、これにより放送受信アンテナ５とチューナ部６１との間にはフィルタ６３１が挿入される。したがって、放送信号と共に上記放送受信アンテナ５で受信された移動通信用の無線信号は、上記フィルタ６３１により妨害波として許容される信号レベルにまで抑圧される。このため、チューナ部６１においては上記移動通信用無線信号による妨害の影響を受けることなく放送信号の正確なチャネル選局が可能となる。
【００３６】
一方、上記移動通信用無線信号の非送信期間中か、或いは送信期間中であってもその送信電力レベルを整流・平滑化した直流電圧信号の値が参照電圧信号ＲＥＦの値を超えていなければ、比較器３３からは“Ｌ”レベルのフィルタイネーブル信号ＥＳが切替スイッチ６３２，６３３に供給される。このため、切替スイッチ６３２，６３３が迂回回路６３４側に切り替わり、これにより放送受信アンテナ５とチューナ部６１との間は迂回回路６３４により直結される。したがって、放送受信アンテナ５で受信された地上波ディジタル放送信号は、フィルタ６３１の挿入損失の影響を受けることなくチューナ部６１に入力される。このため、チューナ部６１では、地上波ディジタル放送信号に対する受信感度を高く維持することができる。
【００３７】
以上述べたように第２の実施形態では、移動通信用無線回路２から送信される無線信号の送信電力レベルが参照電圧信号ＲＥＦの値に対応するレベルを超えている期間に、フィルタ６３１が上記放送受信アンテナ５とチューナ部６１との間に接続され、一方移動通信用無線回路２から送信される無線信号の送信電力レベルが参照電圧信号ＲＥＦに対応する値を超えていない期間には、迂回回路６３４が上記放送受信アンテナ５とチューナ部６１との間に接続される。
【００３８】
したがって、移動通信用無線信号の送信電力レベルが大きいときには、当該移動通信用無線信号は妨害波として許容される信号レベルにまで上記フィルタ６３１により抑圧されたのちチューナ部６１に入力されることになり、この結果チューナ部６１では移動通信用の無線信号による妨害の影響を受けることなく正確なチャネル選択が可能となる。これに対し移動通信用無線信号の送信電力レベルが小さいときには、フィルタ６３１が迂回回路６３４によりバイパスされ、これにより地上波ディジタル放送信号はフィルタ６３１の挿入損失の影響を受けることなくチューナ部６１に入力される。このため、チューナ部６１では、地上波ディジタル放送信号に対する受信感度を高く維持することができる。
【００３９】
また、移動通信用無線信号の送信期間であっても、その送信電力レベルが参照電圧信号ＲＥＦの値に対応するレベルを超えていなければフィルタ６３１は挿入されない。このため、先に述べた第１の実施形態に比べ、フィルタ６３１が上記放送受信アンテナ５とチューナ部６１との間に接続される期間を短縮することができ、これによりフィルタ６３１の挿入損失の影響をさらに低減して受信感度を高く維持できる時間を長くすることができる。
【００４０】
さらに、比較器３３にヒステリシス特性を持たせたことにより、直流電圧信号にリップル成分が残留している場合でも、フィルタ６３１と迂回回路６３４とが頻繁に切り替わって、チューナ部６１に入力される放送受信信号が不安定となる不具合を防止することができる。
【００４１】
さらに、一般に移動通信端末には送信電力レベルの帰還制御ループが設けられており、この実施形態では上記既存の帰還制御ループの送信電力検出回路３２から出力される直流電圧信号を利用して切替スイッチ６３２，６３３を切替制御している。このため、新たに送信電力検出回路を設ける必要がなく、それにより比較器３３を追加するだけの比較的簡単な回路構成により実現することができる。
【００４２】
（第３の実施形態）  
この発明の第３の実施形態は、地上波ディジタル放送信号を受信する機能を有する移動通信端末に関するもので、地上波ディジタル放送信号の信号フォーマットには一定の時間間隔でガードインターバルが設けられていることに着目し、移動通信用無線信号の送信期間／非送信期間に同期して発生されるフィルタイネーブル信号を上記ガードインターバル期間に同期させるようにしたものである。
【００４３】
なお、ガードインターバルとは、放送信号が異なる複数の伝播経路を経て放送受信ユニット６で受信された場合に、最も速く受信されたシンボルの先頭から所定の期間だけ復調処理に使用しないようにようにし、これにより遅れて受信された放送信号の１つ前のシンボルが干渉しないように一定期間用意された区間である。
【００４４】
図５はこの発明の第３の実施形態に係わる移動通信端末の移動通信用無線ユニット及び放送受信ユニットの構成を示すブロック図である。なお、同図において前記図２と同一部分には同一符号を付して詳しい説明は省略する。  
制御ユニット８から発生される送信制御信号ＳＷ１は、Ｄフリップフロップ回路４１のＤ入力端子に入力される。また、ＯＦＤＭ復調部６２からは受信された放送信号のガードインターバル期間を表す信号が発生され、このガードインターバル表示信号は上記Ｄフリップフロップ回路４１のクロック入力端子（ＣＫ）に入力される。Ｄフリップフロップ回路４１は、上記送信制御信号ＳＷ１を上記ガードインターバル表示信号の入力タイミングに同期してラッチし、このラッチされた信号をフィルタイネーブル信号ＥＳとしてＱ出力端子から出力する。
【００４５】
このような構成であるから、地上波ディジタル放送信号の受信中に、例えば位置登録手順又はハンドオーバ手順が実行され、これに伴い移動通信用無線信号の送信期間になると、制御ユニット８から図６（ｃ）に示すように送信期間を表す“Ｈ”レベルの送信制御信号ＳＷ１（送信期間表示信号）が発生されてＤフリップフロップ回路４１のＤ入力端子に入力される。
【００４６】
一方ＯＦＤＭ復調部６２では、その復調処理の過程で、図６（ａ）に示すようにシンボル期間Ｔｓごとに有効シンボル期間とガードインターバルが検出される。そして、このうちガードインターバルの期間を表す信号（ガードインターバル表示信号）が図６（ｂ）に示すように発生され、このガードインターバル表示信号がＤフリップフロップ回路４１のクロック入力端子（ＣＫ）に入力される。
【００４７】
この結果、Ｄフリップフロップ回路４１では、上記ガードインターバル表示信号に同期して上記送信期間表示信号がラッチされ、このラッチされた信号が図６（ｄ）に示すようにフィルタイネーブル信号ＥＳとなって切替スイッチ６３２，６３３に供給される。このため切替スイッチ６３２，６３３がフィルタ６３１側に切り替わる。
【００４８】
したがって、放送受信アンテナ５とチューナ部６１との間にはフィルタ６３１が挿入される。このため、放送信号と共に上記放送受信アンテナ５で受信された移動通信用の無線信号は、上記フィルタ６３１により妨害波として許容される信号レベルにまで抑圧される。このため、チューナ部６１においては上記移動通信用無線信号による妨害の影響を受けることなく放送信号の正確なチャネル選局が可能となる。
【００４９】
これに対し上記移動通信用の無線信号の送信期間が終了して送信制御信号ＳＷ１が“Ｌ”レベルに変化し、さらにガードインターバル表示信号が発生されると、このガードインターバル表示信号に同期してＤフリップフロップ回路４１から出力されるフィルタイネーブル信号ＥＳが図６（ｄ）に示すように“Ｌ”レベルに復帰する。このため切替スイッチ６３２，６３３が迂回回路６３４側に切り替わり、これにより放送受信アンテナ５とチューナ部６１との間は迂回回路６３４により直結される。したがって、移動通信用の無線信号の非送信期間において、放送受信アンテナ５で受信された地上波ディジタル放送信号は、フィルタ６３１の挿入損失の影響を受けることなくチューナ部６１に入力される。このため、チューナ部６１では、地上波ディジタル放送信号に対する受信感度を高く維持することができる。
【００５０】
しかもこの実施形態では、上記したように切替スイッチ６３２，６３３の切り替えが、受信された地上波ディジタル放送信号のガードインターバル期間に行われる。このため、フィルタ６３１の挿脱による放送信号のキャリア位相の変化を防止して、安定なチャネル選局及び復調処理を行うことが可能となる。ちなみに、放送信号の有効シンボル期間中にフィルタ６３１の挿脱が行われると、この挿脱ごとにチューナ部６１に入力される放送信号のキャリア位相が急激に変化し、当該有効シンボル期間においてシンボルの復調処理が行えなくなることがある。
【００５１】
以上述べたように第３の実施形態では、第１の実施形態と同様に、移動通信用無線信号の送信期間に放送受信アンテナ５とチューナ部６１との間にフィルタ６３１を挿入し、その他の期間には迂回回路６３４を挿入するようにしている。このため、移動通信用無線信号の送信期間では上記移動通信用無線信号による妨害の影響を低減して正確なチャネル選局処理と復調処理を行うことができ、一方移動通信用の無線信号の非送信期間においてはフィルタ６３１の挿入損失の影響を無くして地上波ディジタル放送信号に対する受信感度を高く維持することができる。
【００５２】
しかも第３の実施形態では、上記したように切替スイッチ６３２，６３３の切り替えが、受信された地上波ディジタル放送信号のガードインターバル期間に行われるため、フィルタ６３１の挿脱による放送信号のキャリア位相の変化を防止して、安定なチャネル選局及び復調処理を行うことができる。
【００５３】
（その他の実施形態）  
前記第３の実施形態では、制御ユニット８から発生される送信制御信号ＳＷ１をガードインターバル期間に同期させ、これをフィルタイネーブル信号ＥＳとして切替スイッチ６３２，６３３に供給するようにした。しかし、それに限るものではなく、第２の実施形態において述べた比較器３３の出力信号をＤフリップフロップのＤ入力端子に入力すると共に、ＯＦＤＭ復調部６２から出力されるガードインターバル期間表示信号をＤフリップフロップのクロック入力端子に入力する。そして、上記比較器３３の出力信号をガードインターバル期間に同期させ、これをフィルタイネーブル信号ＥＳとして切替スイッチ６３２，６３３に供給するようにしてもよい。このように構成しても、前記第３の実施形態と同様に効果を奏すること巣ができる。
【００５４】
また、移動通信用無線信号の送信電力レベルを検出する手段としては、送信電力増幅回路部に設けられている可変利得制御回路で生成される可変利得制御情報等、送信電力レベルに応じて変化する信号をもとに検出するように構成してもよい。さらに、移動通信用無線信号の送信期間を表す信号としても、送信電力増幅器２３への給電を制御する信号以外のその他の信号を使用してもよい。
【００５５】
さらに、前記各実施形態ではフィルタ６３１と迂回回路６３４とを切り替えるようにした。しかしそれに限らず、帯域通過特性を可変設定可能な適応フィルタを設け、このフィルタの帯域通過特性を移動通信用無線信号の送信期間と非送信期間、或いは送信電力レベルが参照レベルより大きいか小さいかに応じて、可変設定するように構成してもよい。
【００５６】
さらに、第２の無線回路として地上波ディジタル放送信号を受信する回路を例にとって説明したが、無線ＬＡＮ（Local Area Network）、ＢＴ（Blue Tooth）（登録商標）やＵＷＢ（Ultra Wide Band）等の近距離無線データ通信規格を採用した無線ユニットでもよい。その他、移動通信端末の種類やその構成、移動通信用の無線アクセス方式や変復調方式等についても、この発明の要旨を逸脱しない範囲で種々変形して実施できる。
【００５７】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【図面の簡単な説明】
【００５８】
【図１】この発明の第１の実施形態に係わる移動通信端末の構成を示すブロック図。
【図２】図１に示した移動通信端末の要部である放送受信ユニット及び移動通信用無線ユニットの構成を示す回路ブロック図。
【図３】この発明の第２の実施形態に係わる移動通信端末の要部である切替制御回路部の構成を示す回路ブロック図。
【図４】図３に示した切替制御回路部による切替動作タイミングを説明するための図。
【図５】この発明の第１の実施形態に係わる移動通信端末の要部である放送受信ユニット及び移動通信用無線ユニットの構成を示す回路ブロック図。
【図６】図５に示した移動通信端末による切替動作タイミングを説明するための図。
【図７】図２及び図５に示すフィルタの帯域通過特性を示す図。
【符号の説明】
【００５９】
１…移動通信用アンテナ、２…移動通信用無線ユニット、３…移動通信用信号処理ユニット、４…入出力インタフェースユニット、５…放送受信アンテナ、６…放送受信ユニット、７…放送信号処理ユニット、８…制御ユニット、９…記憶ユニット、１１…スピーカ、１２…マイクロホン、１３…カメラ、１４…ディスプレイ、１５…電源回路、１６…バッテリ、１７…入力デバイス、２１…変調部、２２…周波数変換部、２３…送信電力増幅器、２４…アンテナ共用器（ＤＵＰ）、２５…給電制御スイッチ、３１…方向性結合器、３２…電力検出回路、３３…比較器、４１…Ｄフリップフロップ回路、６１…チューナ部、６２…ＯＦＤＭ復調部、６３…フィルタ回路、６３１…フィルタ、６３２，６３２…切替スイッチ。
【図１】
2006261998.tif 000003
【図２】
2006261998.tif 000004
【図３】
2006261998.tif 000005
【図４】
2006261998.tif 000006
【図５】
2006261998.tif 000007
【図６】
2006261998.tif 000008
【図７】
2006261998.tif 000009